(57)【要約】【課題】開閉検知センサが故障したとしても、誤検知を防止することが可能な複合機１００を提供する。【解決手段】原稿カバーが閉位置の手前の第１検知位置に到達したことを検知する第１開閉検知部６０３と、前記原稿カバーが、閉位置である第２検知位置に到達したことを検知する第２開閉検知部６０５と、を備える。原稿台上に載置された原稿のサイズを検知する原稿サイズ検知部４０３と、前記原稿カバーが前記第１検知位置及び前記第２検知位置において前記原稿サイズ検知を実行する制御部４０１と、を備える。前記第１開閉検知部が前記原稿カバーが前記第１検知位置に到達したことを検知した時、前記第２開閉検知部が前記原稿カバーが前記第２検知位置に到達したことを検知している場合、前記第２開閉検知センサが故障していると判定する故障判定部４０２を備え、前記制御部４０１は、前記故障判定部が故障と判定した場合、前記第２検知位置での前記原稿サイズ検知を禁止する。【選択図】図４
2016019164.tif 000002
【特許請求の範囲】
【請求項１】
原稿台と該原稿台に開閉可能に接続部を介して取付けられる原稿カバーと、
前記接続部近傍に設けられ前記原稿カバーを開位置から閉位置に向けて回動し、前記原稿カバーが前記閉位置の手前の第１検知位置に到達したことを検知する第１開閉検知部と、
前記原稿カバーが、前記閉位置である第２検知位置に到達したことを検知する第２開閉検知部と、
前記原稿台上に載置された原稿のサイズを検知する原稿サイズ検知部と、
前記原稿カバーが前記第１検知位置及び前記第２検知位置において前記原稿サイズ検知を実行する制御部と、
前記第１開閉検知部が前記原稿カバーが前記第１検知位置に到達したことを検知した時、前記第２開閉検知部が前記原稿カバーが前記第２検知位置に到達したことを検知している場合、前記第２開閉検知センサが故障していると判定する故障判定部と、
を備え、
前記制御部は、前記故障判定部が故障と判定した場合、前記第２検知位置での前記原稿サイズ検知を禁止することを特徴とする原稿サイズ検知装置。
【請求項２】
前記故障判定部は、
前記第２開閉検知部が、前記第１開閉検知部が前記原稿カバーが前記第１検知位置に到達したことを検知した時、前記原稿カバーを検知した検知状態にある場合、所定のメモリに故障を示す故障情報を記憶させ、原稿のサイズの検知が実行されている際に、前記第２開閉検知部が前記原稿カバーを検知しない非検知状態に一度でもなったか否かを判定し、前記原稿カバーが一度でも非検知状態になったと判定された場合は、前記故障情報を消去し、
前記制御部は、前記メモリに前記故障情報が記憶されている場合に、前記画像読取部による原稿のサイズの検知を禁止する
請求項１に記載の原稿サイズ検知装置。
【請求項３】
前記画像読取部による原稿のサイズの検知が禁止された場合に、今まで、当該検知が禁止された回数をカウントし、前記カウントした回数が、予め設定された閾値を超過したか否かを判定する閾値判定部と、
前記カウントした回数が前記閾値を超過した場合に、前記第二の開閉検知センサの故障を示す画面を表示する表示部と
を更に備える
請求項１又は２に記載の原稿サイズ検知装置。
【請求項４】
原稿台と該原稿台に開閉可能に接続部を介して取付けられる原稿カバーと、前記接続部近傍に設けられ前記原稿カバーを開位置から閉位置に向けて回動し、前記原稿カバーが前記閉位置の手前の第１検知位置に到達したことを検知する第１開閉検知部と、前記原稿カバーが、前記閉位置である第２検知位置に到達したことを検知する第２開閉検知部と、を備える原稿サイズ検知装置の原稿サイズ検知方法であって、
前記原稿台上に載置された原稿のサイズを検知するステップと、
前記原稿カバーが前記第１検知位置及び前記第２検知位置において前記原稿サイズ検知を実行するステップと、
前記第１開閉検知部が前記原稿カバーが前記第１検知位置に到達したことを検知した時、前記第２開閉検知部が前記原稿カバーが前記第２検知位置に到達したことを検知している場合、前記第２開閉検知センサが故障していると判定するステップと、
前記故障と判定された場合、前記第２検知位置での前記原稿サイズ検知を禁止するステップと、
を備えることを特徴とする原稿サイズ検知方法。
【発明の詳細な説明】
【技術分野】
【０００１】
本発明は、原稿サイズ検知装置及び原稿サイズ検知方法に関し、詳しくは、開閉検知センサが故障したとしても、誤検知を防止することが可能な原稿サイズ検知装置及び原稿サイズ検知方法に関する。
【背景技術】
【０００２】
従来より、原稿サイズを検知するための技術は複数存在する。例えば、特開昭６３−８６４０号公報（特許文献１）には、原稿押えを閉じる途中に、原稿検知用センサにより原稿サイズの検知動作を遂行し、その後、原稿押えを閉じた状態で、再度原稿サイズの検知動作を実行する原稿サイズ検知方法が開示されている。これにより、周辺部に濃度が高い部分が存在するか否かに影響されることなく、正確な原稿サイズの検知を行うことが出来るとしている。
【０００３】
又、特開平７−３１９３３２号公報（特許文献２）には、ＡＤＦの開閉状態に対応して、複数のセンサを配置し、出力がオンになっているセンサの数を検知することで、ＡＤＦの閉鎖、開放及びその中間の特定位置を検出する画像形成装置が開示されている。これにより、圧板又はＡＤＦと処理装置本体との位置関係を検知する検知機構をコンパクトにすると共にメンテナンス性を向上させることが出来るとしている。
【０００４】
又、特開２００１−１６９０２７号公報（特許文献３）には、複数の原稿カバーセンサーの出力結果に基づいて、原稿が書籍か否か判断するとともに、書籍の場合には置かれている向きも判断する画像読取装置が開示されている。これにより、印字する画像の枠消しや書籍を複写するときの綴じ代部分の画像データの削除といった画像処理を容易に行えるとしている。
【０００５】
又、特開２０１１−１８８２３４号公報（特許文献４）には、原稿と画像読取部との密着度を検出する複数の距離センサと、距離センサでの検出結果に基づいて原稿と画像読取部との密着度は十分であるか否かの判定を行う密着度判定部を備えた画像読取装置が開示されている。この装置では、更に、密着度判定部の判定結果に基づいて原稿と画像読取部との密着度を通知するＬＥＤと、密着度判定部の判定結果に基づいて画像読取部に対して原稿の画像の読み取りを開始させる読取起動部を備える。これにより、より確実に、鮮明に原稿を読み取ることが出来るとしている。
【先行技術文献】
【特許文献】
【０００６】
【特許文献１】特開昭６３−８６４０号公報
【特許文献２】特開平７−３１９３３２号公報
【特許文献３】特開２００１−１６９０２７号公報
【特許文献４】特開２０１１−１８８２３４号公報
【発明の概要】
【発明が解決しようとする課題】
【０００７】
従来の原稿サイズの検知処理は、一般的に、以下のようになされる。ユーザーが、原稿を原稿台上に載置し、この原稿上に原稿カバーを置くと、当該原稿カバーの開閉を検知する第１開閉検知センサが原稿カバーの閉状態を検知し、これを受けた画像読取部が、原稿台の下方へ移動して、原稿のサイズを読み取る。
【０００８】
しかしながら、この検知処理では、原稿の色が、例えば、白色等の低濃度の原稿である場合、誤検知を生じることがある。そのため、近年、原稿の色が低濃度（白色等）又は高濃度（黒色、カラー色等）であっても、精度高く原稿のサイズを検知するために、２つの異なるセンサを用いて２種類の原稿サイズ検知処理を行うようになっている。
【０００９】
この検知処理では、先ず、ユーザーが、原稿台に原稿を載置して、原稿カバー（又はＡＤＦ）を原稿上に載置すると、第１開閉検知センサが原稿カバーの閉状態を検知し、原稿ののサイズが検知される。この場合は、原稿の色が低濃度である場合に有効であり、これを第１原稿サイズ検知と称する。
【００１０】
次に、原稿カバーの下方に、主走査方向の手前側に、読取ガイドの位置を検知するＰＩセンサが設けられ、このＰＩセンサに対応する第２開閉検知センサが原稿カバーの閉状態を検知すると、画像読取部が、原稿台の下方に移動して、原稿のサイズを検知する。この場合は、原稿の色が高濃度である場合に有効であり、これを第２原稿サイズ検知と称する。第１原稿サイズ検知と第２原稿サイズ検知とを行い、両者の検知結果を照合し、両者の検知結果が異なる場合は、大きい原稿サイズを原稿サイズとして選択することで、原稿のサイズを精度高く検知することが出来る。
【００１１】
しかしながら、この検知処理では、第２開閉検知センサが故障等により、常時、ＯＮ信号を出力していると、第１原稿サイズ検知の後、原稿カバーが適切に原稿上に置かれていないにもかかわらず、第２原稿サイズ検知が実行されることになる。第２原稿サイズ検知において、原稿カバーが完全に閉状態になっていない場合、外部の光が入ることで、原稿のサイズを誤検知するという問題がある。このような問題に対して、特許文献１−４に記載の技術は解決することが出来ない。
【００１２】
そこで、本発明は、前記問題を解決するためになされたものであり、開閉検知センサが故障したとしても、誤検知を防止することが可能な原稿サイズ検知装置及び原稿サイズ検知方法を提供することを目的とする。
【課題を解決するための手段】
【００１３】
上述した課題を解決し、目的を達成するために、本発明に係る原稿サイズ検知装置は、原稿台と該原稿台に開閉可能に接続部を介して取付けられる原稿カバーと、前記接続部近傍に設けられ前記原稿カバーを開位置から閉位置に向けて回動し、前記原稿カバーが前記閉位置の手前の第１検知位置に到達したことを検知する第１開閉検知部と、を備える。又、本発明は、前記原稿カバーが、前記閉位置である第２検知位置に到達したことを検知する第２開閉検知部と、前記原稿台上に載置された原稿のサイズを検知する原稿サイズ検知部と、前記原稿カバーが前記第１検知位置及び前記第２検知位置において前記原稿サイズ検知を実行する制御部と、を備える。更に、本発明は、前記第１開閉検知部が前記原稿カバーが前記第１検知位置に到達したことを検知した時、前記第２開閉検知部が前記原稿カバーが前記第２検知位置に到達したことを検知している場合、前記第２開閉検知センサが故障していると判定する故障判定部を備える。そして、前記制御部は、前記故障判定部が故障と判定した場合、前記第２検知位置での前記原稿サイズ検知を禁止する。
【００１４】
尚、本発明は、原稿サイズ検知方法として提供することが出来る。即ち、本発明は、原稿カバーと、第１開閉検知部と、第２開閉検知部と、を備える原稿サイズ検知装置の原稿サイズ検知方法であって、前記原稿台上に載置された原稿のサイズを検知するステップを備える。又、本発明は、前記原稿カバーが前記第１検知位置及び前記第２検知位置において前記原稿サイズ検知を実行するステップと、前記第１開閉検知部が前記原稿カバーが前記第１検知位置に到達したことを検知した時、前記第２開閉検知部が前記原稿カバーが前記第２検知位置に到達したことを検知している場合、前記第２開閉検知センサが故障していると判定するステップとを備える。又、本発明は、前記故障と判定された場合、前記第２検知位置での前記原稿サイズ検知を禁止するステップを備える。このような構成であっても、上述と同様の効果を得ることが可能となる。
【００１５】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００１６】
本発明の原稿サイズ検知装置及び原稿サイズ検知方法によれば、開閉検知センサが故障したとしても、誤検知を防止することが可能となる。
【図面の簡単な説明】
【００１７】
【図１】本発明の実施形態に係る複合機の概略模式図である。
【図２】本発明の実施形態に係る操作部の全体構成を示す概念図である。
【図３】本発明の実施形態に係る複合機の制御系ハードウェアの構成を示す図である。
【図４】本発明の実施形態に係る複合機の機能ブロック図である。
【図５】本発明の実施形態の実行手順を示すためのフローチャートである。
【図６】本発明の実施形態の原稿カバーを開いた状態の原稿台、センサとの関係を示す図（図６Ａ）と、本発明の実施形態の原稿カバーを半閉じの状態の原稿台、センサとの関係を示す図（図６Ｂ）と、本発明の実施形態の原稿カバーを完全に閉じた状態の原稿台、センサとの関係を示す図（図６Ｃ）とである。
【発明を実施するための形態】
【００１８】
以下に、添付図面を参照して、本発明の原稿サイズ検知装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１９】
以下に、本発明の実施形態に係る原稿サイズ検知装置の一例として、画像形成装置について説明する。但し、本発明に直接には関係しない各部の詳細は省略している。尚、本発明の画像形成装置は、例えば、コピー、スキャナ、プリンタ等の機能を備えた複合機（ＭＦＰ：Ｍｕｌｔｉ  Ｆｕｎｃｔｉｏｎ  Ｐｅｒｉｐｈｅｒａｌ）が該当する。
【００２０】
複合機１００は、図１に示すように、原稿台上の原稿を読み取る画像読取部１０１、画像読取部１０１と連動して、原稿を自動で給送する自動原稿給送部１０２と、ユーザーから原稿の画像読取及び画像形成の条件を受け付ける操作部１０３とを備えている。自動原稿給送部１０２は、原稿上に置かれる原稿カバーを備えている。
【００２１】
複合機１００は、画像読取部１０１が読み取った画像データと、ユーザーから入力された条件とに基づいて、各部（画像形成部、搬送部、定着部等）を駆動して、画像形成を実行する。
【００２２】
ところで、ユーザーは、図２に示すように、操作部１０３を用いて、所定の指示を入力したり、所定の操作画面を確認したりする。この操作部１０３には、タッチパネル２０１（操作パネル）、操作キー２０２が設けられている。タッチパネル２０１では、所定の画面が表示されたり、当該表示された画面内のキーを押下することによって、当該押下されたキーに対応する情報が入力されたりする。操作キー２０２では、例えば、テンキー、スタートキー、クリアキー、ストップキー、リセットキー、電源キー等が備えられている。
【００２３】
次に、図３を用いて、複合機１００の制御系ハードウェアの構成を説明する。複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、画像読取部１０１、自動原稿給送部１０２、操作部１０３を内部バス３０６によって接続している。
【００２４】
ＣＰＵ３０１は、例えば、ＲＡＭ３０３を作業領域として利用し、ＲＯＭ３０２、ＨＤＤ３０４等に記憶されているプログラムを実行し、当該実行結果に基づいてドライバ３０５、画像読取部１０１、自動原稿給送部１０２、操作部１０３からのデータや指示、信号、命令等を授受し、図１に示した各駆動部の動作を制御する。
【００２５】
又、駆動部以外の後述する各手段（図４に示す）についても、前記ＣＰＵが、各プログラムを実行することで当該各手段を実現する。前記ＲＯＭ、ＲＡＭ、ＨＤＤ等には、以下に説明する各手段を実現するプログラムやデータが記憶されている。
【００２６】
＜本発明の実施形態＞
次に、図４、図５を参照しながら、本発明の実施形態に係る構成及び実行手順について説明する。
【００２７】
先ず、ユーザーが、複合機１００の電源を投入すると、当該複合機１００の制御部４０１が、原稿台と原稿カバーとの接続部近傍に設けられた第１開閉検知部を用いて、原稿カバーが閉位置の手間の第１検知位置に到達したか否かを検知する（図５：Ｓ１０１）。
【００２８】
ここで、制御部４０１が検知する方法は、特に限定はない。例えば、図６（Ａ）に示すように、複合機１００の原稿台６００と、原稿カバー６０１を有する自動原稿給送部１０２との接続部６０２近傍に、アクチュエーター型の第１開閉検知部６０３が予め設けられる。この第１開閉検知部６０３は、前記接続部６０２近傍に設けられ、前記原稿カバー６０１を開位置から閉位置に向けて回動し、前記原稿カバー６０１が前記閉位置の手前の第１検知位置に到達したことを検知する。具体的には、第１開閉検知部６０３は、原稿台６００から上下方向に移動可能であり、内蔵された付勢手段（バネ等）により、上方に突出するよう構成されている。第１開閉検知部６０３は、自動原稿給送部１０２が原稿台６００から開位置である場合に、上方に突出している。そして、第１開閉検知部６０３は、自動原稿給送部１０２が原稿台６００へ向かって閉じられた場合に、当該自動原稿給送部１０２の一部に当接して、原稿台６００の下方に押し込まれる（前記原稿カバー６０１が第１検知位置に到達する）。第１開閉検知部６０３は、この押し込まれによりＯＮ信号を発信し、この押し込まれが解消されると、ＯＦＦ信号を発信する。制御部４０１は、第１開閉検知部６０３からの信号が、ＯＦＦ信号（開位置）からＯＮ信号（閉位置）に切り替わったことを検知することで、自動原稿給送部１０２の原稿カバー６０１が前記閉位置の手前の第１検知位置に到達したことを検知する。
【００２９】
ここで、ユーザーが、図６（Ａ）に示すように、自動原稿給送部１０２の原稿カバー６０１を原稿台６００から開いて、原稿６０４を原稿台６００上に載置し、自動原稿給送部１０２の原稿カバー６０１を閉じると、制御部４０１が、第１開閉検知部６０３により、原稿カバーが閉位置の手間の第１検知位置に到達したと検知する（図５：Ｓ１０１ＹＥＳ）。次に、制御部４０１は、第２開閉検知部６０３を用いて、前記原稿カバー６０１が、前記閉位置である第２検知位置に到達したか否かを検知する（図５：Ｓ１０２）。
【００３０】
ここで、制御部４０１が検知する方法に特に限定はない。例えば、図６（Ａ）に示すように、自動原稿給送部１０２の原稿カバー６０１の端部近傍に、原稿の画像読取の主走査方向に沿って原稿カバー６０１の読取ガイド（読取ガラスに対向して配置され、シェーディング板を兼ねる白いガイド）となる第２開閉検知部６０５が予め設けられている。この第２開閉検知部６０５は、主走査方向の手前で、原稿カバー６０１のフレーム側にＰＩ（Ｐｈｏｔｏｉｎｔｅｒｒｕｐｔｅｒ）センサと、読取ガイド側に遮光片とを備える。読取ガイドは、付勢手段（バネ等）で突出方向に付勢されており、上下方向に移動可能である。原稿カバー６０１が閉じた状態で、前記読取ガイドは、前記付勢手段の付勢力に抗して、フレーム側（上方）へ移動し、ＰＩセンサが遮光片を検知する（前記原稿カバー６０１が第２検知位置に到達する）。第２開閉検知部６０５は、遮光片の検知に対応するＰＩセンサのＯＮ信号を発信し、この検知の解消に対応するＰＩセンサのＯＦＦ信号を発信する。制御部４０１は、第２開閉検知部６０５からの信号が、ＯＦＦ信号（開位置）からＯＮ信号（閉位置）に切り替わったことを検知することで、前記原稿カバー６０１が、前記閉位置である第２検知位置に到達したことを検知する。
【００３１】
ここで、ユーザーが、原稿６０４を原稿台６００上に載置し、自動原稿給送部１０２の原稿カバー６０１を閉じると、図６（Ｂ）に示すように、先ず、第１開閉検知部６０３が、原稿カバー６０１が第１検知位置に到達したことを検知し、次に、図６（Ｃ）に示すように、自動原稿給送部１０２の原稿カバー６０１が原稿台６００に完全に閉じられた時点で、第２開閉検知部６０５が、原稿カバー６０１が第２検知位置に到達したことを検知することになる。言い換えると、第１開閉検知部６０３の原稿カバー６０１の第１検知位置の検知タイミングと、第２開閉検知部６０５の原稿カバー６０１の第２検知位置の検知タイミングとには、所定のタイムラグがあり、第１開閉検知部６０３と、第２開閉検知部６０５とは、取り付け位置の関係上、第１開閉検知部６０３が第１検知位置を検知した時点で、第２開閉検知部６０５が第２検知位置を検知することは有り得ないのである。
【００３２】
本発明では、第１開閉検知部６０３が第１検知位置を検知した時点で、仮に、第２開閉検知部６０５が第２検知位置を検知した場合、この第２開閉検知部６０５は、何らかの理由で故障していると仮定するのである。
【００３３】
さて、Ｓ１０２において、制御部４０１が、前記第１開閉検知部６０３が前記原稿カバー６０１の第１検知位置を検知した時、前記第２開閉検知部６０５が前記原稿カバー６０１の第２検知位置を検知している場合（原稿カバー６０１を検知した検知状態にある場合）（図５：Ｓ１０２ＹＥＳ）、制御部４０１は、その旨を故障判定部４０２に通知する。当該通知を受けた故障判定部４０２は、前記第２開閉検知部６０５が故障していると判定し、所定のメモリに故障を示す情報（故障フラグ）を記憶させる（付与する）（図５：Ｓ１０３）。これにより、第２開閉検知部６０５の故障を考慮して、後の処理を実行することが出来る。
【００３４】
一方、Ｓ１０２において、制御部４０１が、前記第１開閉検知部６０３が前記原稿カバー６０１の第１検知位置を検知した時点で、前記第２開閉検知部６０５が前記原稿カバー６０１の第２検知位置を検知していない場合（図５：Ｓ１０２ＮＯ）、制御部４０１は、第２開閉検知部６０５の監視を継続する。この場合は、第２開閉検知部６０５が故障していないから、ユーザーが、自動原稿給送部１０２の原稿カバー６０１を原稿台６００に完全に閉じた時点で、制御部４０１は、前記第２開閉検知部６０５が前記原稿カバー６０１の第２検知位置を検知することになる（後述）。
【００３５】
一方、制御部４０１は、原稿カバー６０１の第１検知位置を検知すると、その旨を原稿サイズ検知部４０３に通知し、当該通知を受けた原稿サイズ検知部４０３は、原稿６０４のサイズを検知する（図５：Ｓ１０４）。尚、この原稿サイズ検知を第１原稿サイズ検知と称する。
【００３６】
ここで、原稿サイズ検知部４０３が第１原稿サイズ検知をする方法は、特に限定は無い。例えば、図６（Ａ）に示すように、画像読取部１０１のうち、原稿台６００のプラテンガラス６００ａの下方を、副走査方向に移動可能なキャリッジ６０７が予め設けられている。このキャリッジ６０７には、主走査方向に沿った光源とセンサとが設けられており、原稿サイズ検知部４０３は、主走査方向のサイズ検知について、キャリッジ６０７を、プラテンガラス６００ａの原稿６０４の一部の直下まで移動させて、当該光源を点灯させる。そして、原稿サイズ検知部４０３が、原稿６０４から反射した反射光をセンサで受信することで、反射光の受信位置に基づいて、原稿６０４の主走査方向のサイズを検知する。又、原稿台６００のプラテンガラス６００ａの下方に、反射型原稿サイズセンサ６０６が予め設けられている。この反射型原稿サイズセンサ６０６は、原稿６０４からの反射光を検知するため、原稿サイズ検知部４０３は、反射型原稿サイズセンサ６０６の反射光の検知位置と、前記主走査方向の原稿サイズの結果に基づいて、原稿６０４の副走査方向のサイズを検知する。第１原稿サイズ検知は、原稿の色が低濃度（例えば、白色）である場合に有効である。
【００３７】
さて、原稿サイズ検知部４０３が検知を実行している際に、故障判定部４０２は、第２開閉検知部６０５が前記原稿カバー６０１を検知しない非検知状態に一度でもなったか否かを判定する（図５：Ｓ１０５）。
【００３８】
ここで、故障判定部４０２が判定する方法は、特に限定は無いが、例えば、Ｓ１０３において、故障フラグを付与した場合に、制御部４０１を介して、第２開閉検知部６０５を監視し、当該第２開閉検知部６０５から開状態を示すＯＦＦ信号が発信されたか否かを検知する。
【００３９】
前記判定の結果、原稿カバー６０１が閉位置に到達する前に、第２開閉検知部６０５からＯＦＦ信号が発信された場合（図５：Ｓ１０５ＹＥＳ）、故障判定部４０２は、前記原稿カバー６０１が一度でも非検知状態になったと判定し、前記付与した故障フラグを消去する（図５：Ｓ１０６）。これにより、第２開閉検知部６０５が何らかの理由で誤検知していた場合であっても、第２開閉検知部６０５が故障したと確定すること無く、第２原稿サイズ検知を実行させることが出来る（後述）。第２開閉検知部６０５の誤検知は、例えば、第２開閉検知部６０５が、機械的なガタつきにより、ＯＮ信号を発信していたものの、原稿カバー６０１の開状態への動作により、それが解除されて、ＯＦＦ信号を発信した場合に対応する。
【００４０】
一方、Ｓ１０５において、前記判定の結果、第２開閉検知部６０５から一度もＯＦＦ信号が発信されない場合（第２開閉検知部６０５からＯＮ信号のみ発信されている場合）（図５：Ｓ１０５ＮＯ）、故障判定部４０２は、特に何もしない。この場合は、第２開閉検知部６０５の誤検知でなく、完全な故障と判定し、前記付与された故障フラグが維持される。
【００４１】
さて、故障判定部４０２が、上述の判定を実行した後、第２開閉検知部６０５を監視する。一方、図６（Ｃ）に示すように、ユーザーが原稿カバー６０１を原稿台６００に完全に閉じると、制御部４０１が、前記第２開閉検知部６０５からのＯＮ信号を受信し、前記原稿カバー６０１が閉状態になったと検知する（図５：Ｓ１０７）。
【００４２】
制御部４０１が、前記原稿カバー６０１が閉状態になったと検知すると、その旨を故障判定部４０２に通知し、当該通知を受けた故障判定部４０２は、前記第２開閉検知部６０５が故障しているか否かを判定する（図５：Ｓ１０８）。
【００４３】
ここで、故障判定部４０２が判定する方法は、特に限定は無いが、例えば、上述した故障フラグを利用する場合には、故障判定部４０２が、前記メモリに故障フラグが記憶されているか否か（有無）を判定することになる。
【００４４】
前記判定の結果、前記第２開閉検知部６０５が故障していない場合、つまり、前記故障フラグが記憶されていない場合には（図５：Ｓ１０８ＮＯ）、故障判定部４０２が、その旨を原稿サイズ検知部４０３に通知する。当該通知を受けた原稿サイズ検知部４０３は、原稿６０４のサイズを検知する（図５：Ｓ１０９）。尚、この原稿サイズ検知を第２原稿サイズ検知と称する。
【００４５】
ここで、原稿サイズ検知部４０３が第２原稿サイズ検知をする方法は、特に限定は無い。例えば、第１原稿サイズ検知と同様に、ＣＣＤの読取画増処理により、主走査方向の原稿サイズを検知し、反射型センサとＣＣＤの読取画増処理とを組み合わせて、副走査方向の原稿サイズを検知する。第２原稿サイズ検知は、原稿の色が高濃度（例えば、黒色、カラー色）である場合に有効である。
【００４６】
このように、前記第２開閉検知部６０５が故障していない場合には、第２原稿サイズ検知を実行することで、誤検知無く、原稿のサイズを検知することが可能となる。
【００４７】
ところで、Ｓ１０８において、前記判定の結果、前記第２開閉検知部６０５が故障している場合、つまり、前記故障フラグが記憶されている場合には（図５：Ｓ１０８ＹＥＳ）、故障判定部４０２が、その旨を制御部４０１に通知し、当該通知を受けた制御部４０１は、原稿サイズ検知部４０３による第２原稿サイズ検知を禁止する（図５：Ｓ１１０）。この場合は、前記第２開閉検知部６０５が、常時、ＯＮ信号を発信している可能性が高いため、ユーザーが原稿カバー６０１を原稿台６００に完全に閉じる前に、第２原稿サイズ検知が実行される可能性があった。そこで、故障判定部４０２が、第２原稿サイズ検知を禁止することで、誤検知を確実に防止することが可能となる。
【００４８】
ここで、故障判定部４０２が第２原稿サイズ検知を禁止すると、その旨を閾値判定部４０４に通知し、当該通知を受けた閾値判定部４０４は、今まで、前記第２原稿サイズ検知が禁止された回数をカウントする（図５：Ｓ１１１）。
【００４９】
例えば、今まで、３回、前記第２原稿サイズ検知が禁止されていた場合には、閾値判定部４０４は、今までの回数（３回）に１回を加算した加算値を、カウント値とする。
【００５０】
そして、閾値判定部４０４は、前記カウントした回数が、予め設定された閾値（例えば、３回、数回等）を超過したか否かを判定する（図５：Ｓ１１２）。
【００５１】
前記判定の結果、前記カウントした回数が前記閾値を超過しない場合（図５：Ｓ１１２ＮＯ）、閾値判定部４０４は、特に何もせず、前記カウントした回数を所定のメモリに記憶させておき、前記故障フラグをリセットしておく。この場合は、前記第２開閉検知部６０５の故障の誤検知の可能性があるため、複数のユーザーに繰り返し使ってもらって、前記第２開閉検知部６０５の経過を確認する必要がある。
【００５２】
一方、Ｓ１１２において、前記判定の結果、前記カウントした回数が前記閾値を超過した場合（図５：Ｓ１１２ＹＥＳ）、閾値判定部４０４は、その旨を表示部４０５に通知し、当該通知を受けた表示部４０５は、前記第２開閉検知部６０５の故障を示す画面を操作部１０３のタッチパネル２０１上に表示する（図５：Ｓ１１３）。
【００５３】
ここで、表示部４０５が表示する方法は、特に限定は無いが、例えば、図２に示すように、前記画面２０３に、ユーザーに第２開閉検知部６０５の故障を知らせ、サービスマンに連絡する旨のメッセージ２０４と、ＯＫキー２０５とを表示する。これにより、ユーザーは、第２開閉検知部６０５の故障を知ることが可能となる。
【００５４】
尚、本発明の実施形態では、複合機１００を原稿サイズ検知装置としたが、原稿サイズを検知する装置であれば、複写機、スキャナ、プリンタ等、どのような装置でも適用可能である。
【００５５】
又、本発明の実施形態では、複合機１００（原稿サイズ検知装置）が各手段を備えるよう構成したが、当該各手段を実現するプログラムを記憶媒体に記憶させ、当該記憶媒体を提供するよう構成しても構わない。当該構成では、前記プログラムをファームウェア更新装置に読み出させ、当該原稿サイズ検知装置が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００５６】
以上のように、本発明に係る原稿サイズ検知装置及び原稿サイズ検知方法は、複合機はもちろん、複写機、プリンタ、スキャナ等の原稿サイズ検知装置に有用であり、開閉検知センサが故障したとしても、誤検知を防止することが可能な原稿サイズ検知装置及び原稿サイズ検知方法として有効である。
【符号の説明】
【００５７】
１００  複合機
４０１  制御部
４０２  故障判定部
４０３  原稿サイズ検知部
４０４  閾値判定部
４０５  表示部
６０３  第１開閉検知部
６０５  第２開閉検知部
【図１】
2016019164.tif 000003
【図２】
2016019164.tif 000004
【図３】
2016019164.tif 000005
【図４】
2016019164.tif 000006
【図５】
2016019164.tif 000007
【図６】
2016019164.tif 000008